(57)【要約】【課題】電子内視鏡からの映像信号を処理してデジタルビデオ信号を出力する電子内視鏡装置と、電子内視鏡装置より出力されたデジタルビデオ信号からビデオ信号を生成・出力する受信装置と、を備えた電子内視鏡システムであって、受信装置に接続されたモニタ上にキャラクタ情報を表示させるかどうかを受信装置側から制御可能な機構を備えた電子内視鏡システムを提供することである。【解決手段】電子内視鏡装置は、出力するデジタルビデオ信号のブランキング期間に、電子内視鏡からの内視鏡画像の表示装置における表示エリアを示す表示エリア情報を書き込む構成とし、受信装置はデジタルビデオ信号に書き込まれたエリア情報を用いて表示エリア以外の部分がマスクされたビデオ信号を出力可能とする構成として、上記問題を解決した。【選択図】  図４
2004305372.tif 000002
【特許請求の範囲】
【請求項１】
電子内視鏡からの画像信号を処理してデジタルビデオ信号を出力する電子内視鏡装置と、前記電子内視鏡装置から出力された前記デジタルビデオ信号を処理してビデオ信号を出力する受信装置と、前記受信装置から出力された前記ビデオ信号に基づいて映像を表示する表示装置と、を有する電子内視鏡システムであって、
前記電子内視鏡装置は、前記デジタルビデオ信号のブランキング期間に、前記電子内視鏡からの内視鏡画像の前記表示装置における表示エリアを示す表示エリア情報を書き込むことを特徴とする、電子内視鏡システム。
【請求項２】
前記受信装置は、前記表示エリア情報を用いて、前記表示エリア以外の部分がマスクされたビデオ信号を出力可能であることを特徴とする、請求項１に記載の電子内視鏡システム。
【請求項３】
前記受信装置は、前記表示エリア以外の部分がマスクされたビデオ信号と、前記表示エリア以外の部分がマスクされていないビデオ信号のいずれを出力するのかを選択するための選択手段を有することを特徴とする、請求項１または請求項２に記載の電子内視鏡システム。
【請求項４】
前記表示エリア情報は、水平ブランキング期間に書き込まれることを特徴とする、請求項１から請求項３のいずれかに記載の電子内視鏡システム。
【請求項５】
前記表示エリア情報は、垂直ブランキング期間に書き込まれることを特徴とする、請求項１から請求項３のいずれかに記載の電子内視鏡システム。
【請求項６】
前記表示エリア情報は、前記表示エリアの対角座標であることを特徴とする、請求項５に記載の電子内視鏡システム。
【発明の詳細な説明】
【０００１】
【発明の属する技術分野】
本発明は、電子内視鏡からの画像信号を処理する電子内視鏡装置と、電子内視鏡装置の処理結果からビデオ信号を生成・出力する受信装置とを備えた電子内視鏡システムに関する。
【０００２】
【特許文献１】特開平８−２１４２９０号
【従来の技術】
近年、例えば特許文献１に記載されているもののような、電子内視鏡装置がデジタルビデオ信号を出力し、デジタルビデオ信号対応モニタに画像を表示させるような電子内視鏡システムが提案されている。このような電子内視鏡システムは、アナログモニタに画像を表示させる従来の内視鏡システムに比べて、信号伝送による画像データの劣化がないため、電子内視鏡装置による観察結果を遠隔地に配置されたモニタ上でも観察することが可能となる。
【０００３】
また、内視鏡により得られる映像はいずれも似通ったものとなるため、一般にモニタに表示される画像には識別を容易にするためのキャラクタ情報、例えば医者（術者）や患者の氏名、患者ＩＤ番号、日付や時刻等が付加され、モニタの画面には内視鏡観察の被写体像にこれらキャラクタ情報がスーパーインポーズされる。このようなキャラクタ情報は、遠隔地で内視鏡観察画像を観察する際には不要である場合もあり、遠隔地側のモニタ上にキャラクタ情報を表示させるかどうかを遠隔地側から制御可能な機構が望まれていた。
【０００４】
【発明が解決しようとする課題】
上記の問題を解決するため、本発明は、遠隔地に配置されたモニタ上に内視鏡観察画像と共にキャラクタ情報を表示させるかどうかを遠隔地側から制御可能な機構を備えた電子内視鏡システムを提供することを目的とする。
【０００５】
【課題を解決するための手段】
上記の目的を達成するため、本発明の電子内視鏡システムは、電子内視鏡装置は、出力するデジタルビデオ信号のブランキング期間に、電子内視鏡からの内視鏡画像の表示装置における表示エリアを示すエリア情報を書き込むようになっている。
【０００６】
従って、本発明によれば、受信装置は、電子内視鏡装置から出力されたデジタルビデオ信号を処理して、エリア情報を用いて表示エリア以外の部分がマスクされたビデオ信号を出力可能である。
【０００７】
【発明の実施の形態】
以下に、本発明の実施の形態を図面を用いて詳細に説明する。図１に模式的に示したように、本実施形態の電子内視鏡システム１は、電子内視鏡（ビデオスコープ）１００と、電子内視鏡用プロセッサ２００と、受信装置３００と、第１のモニタ４０１と、第２のモニタ４０２と、デジタルビデオケーブル５００と、ビデオケーブル６０１、６０２とを有する。電子内視鏡１００は、対物光学系１０１と、ライトガイド１０２と、ＣＣＤユニット１１０と、ＣＣＤドライブ回路１２０と、ＥＥＰＲＯＭ１０６と、を有する。電子内視鏡用プロセッサ２００は、システムコントロール２０１と、光源ユニット２３０と、ＣＣＤプロセス回路２１０と、タイミング回路２０４と、ペリフェラルドライバ２０５と、ビデオプロセス回路２２０と、コネクタ部２０７とを有する。
【０００８】
光源ユニット２３０は、電子内視鏡１００の観察対象である生体を照射する為の照明光を生成する。光源ユニット２３０は、ランプ２３１と、集光レンズ２３２と、回転フィルタ２３３と、を有する。ランプ２３１は、キセノンランプ等の白色光源である。集光レンズ２３２は、ライトガイド１０２の入射端１０２ａにランプ２３１からの光を集光する。回転フィルタ２３３は、ライトガイド１０２のライトガイド基端１０２ａと集光レンズ２３２との間に配置されている。回転フィルタ２３３は所謂面順次方式によって、ライトガイド基端１０２ａに入射する光の波長帯を周期的に切り換える。すなわち、光源ユニット２３０は、赤色光（Ｒ）と、緑色光（Ｇ）と、青色光（Ｂ）と、を所定時間おきに切り換えてライトガイド基端１０２ａに入射させる。なお、光源ユニット２３０が光の波長帯切り換える周期は、システムコントロール２０１によって制御される。
【０００９】
ライトガイド基端１０２ａに入射した光は、ライトガイド１０２を通って、ライトガイド１０２のライトガイド遠位端１０２ｂから照明光として放射される。ライトガイド遠位端１０２ｂは、電子内視鏡１００の挿入管１０３の挿入管先端１０３ａに配置されている。従って、挿入管先端１０３ａ近傍の生体Ｂは照明光によって照射される。
【００１０】
照明光を照射された生体Ｂの映像は、対物光学系１０１、ＣＣＤユニット１１０によって撮像される。ＣＣＤドライブ回路１２０がＣＣＤユニット１１０に制御パルスを送信することによって、上記撮像が行なわれるタイミングは制御される。
【００１１】
ＣＣＤユニット１１０によって撮像された映像の画像信号は、ＣＣＤプロセス回路２１０に送られる。ＣＣＤプロセス回路２１０は、ＣＣＤユニット１１０からの画像信号を処理して離散化する。離散化された画像信号は、タイミング回路２０４に送られる。
【００１２】
タイミング回路２０４は、離散化された画像信号がＲＧＢのいずれの照明光が照射されていた時に撮像されたかを判断する。ついで、離散化された画像信号をビデオプロセス回路２２０のメモリ（後述）に保存する。この時、離散化された画像信号は、画像信号が撮像された時の照明光の種類に応じたメモリのプレーンに、デジタル画像データとして保存される。また、タイミング回路２０４は、デジタル画像データにキャラクタ情報を記入する。
【００１３】
ＣＣＤプロセス回路２１０による映像信号の離散化には、ＣＣＤユニット１１０のドットクロック周波数を前もって検知する必要がある。同様に、タイミング回路２０４によるデジタル画像データの生成には、ＣＣＤユニット１１０が生成する画像の水平方向の画素数及び垂直方向の画素数を前もって検知する必要がある。ＣＣＤユニット１１０のドットクロック周波数、およびＣＣＤユニット１１０が生成する画像の水平方向の画素数及び垂直方向の画素数は、電子内視鏡１００のＥＥＰＲＯＭ１０６に記憶されている。システムコントロール２０１はペリフェラルドライバ２０５を制御してＥＥＰＲＯＭ１０６の内容を読み取り、ＣＣＤプロセス回路２１０及びタイミング回路２０４に送信する。
【００１４】
ビデオプロセス回路２２０は、生成されたデジタル画像データをアナログのビデオ信号であるコンポジットビデオ信号、ＲＧＢビデオ信号、Ｓビデオ信号、およびデジタルビデオ信号に変換する。これら変換された各ビデオ信号はコネクタ部２０７から出力される。コネクタ部２０７にはコンポジットビデオコネクタ、ＲＧＢビデオコネクタ、Ｓビデオコネクタ、および２系統のデジタルビデオコネクタが配置されている。コンポジットビデオ信号、ＲＧＢビデオ信号、Ｓビデオ信号、およびデジタルビデオ信号は、それぞれコンポジットビデオコネクタ、ＲＧＢビデオコネクタ、Ｓビデオコネクタ、およびデジタルビデオコネクタから出力される。第２のモニタ４０２は、その入力ビデオ信号仕様に応じて、コンポジットビデオコネクタ、ＲＧＢビデオコネクタ、Ｓビデオコネクタ、およびデジタルビデオコネクタのうち少なくとも１つとビデオケーブル６０２を介して接続されている。従って、電子内視鏡１００のＣＣＤユニット１１０によって撮像された映像は第２のモニタ４０２に表示される。第２のモニタ４０２は、電子内視鏡用プロセッサ２００に近接して配置されており、主に内視鏡観察の術者用のモニタとして使用される。
【００１５】
また、デジタルビデオ信号はデジタルビデオコネクタに接続されたデジタルビデオケーブル６００を介して、電子内視鏡１００及び電子内視鏡用プロセッサ２００に対して遠隔地に配置された受信装置３００に送られる。受信装置３００は、デジタルビデオ信号を処理して、アナログのビデオ信号であるコンポジットビデオ信号、ＲＧＢビデオ信号、Ｓビデオ信号、およびデジタルビデオ信号を生成する。各信号に変換されたビデオ信号は受信装置３００のコネクタ部３０６から出力される。受信装置３００のコネクタ部３０６にはコンポジットビデオコネクタ、ＲＧＢビデオコネクタ、Ｓビデオコネクタ、およびデジタルビデオコネクタが配置されている。コンポジットビデオ信号、ＲＧＢビデオ信号、Ｓビデオ信号、およびデジタルビデオ信号は、それぞれコンポジットビデオコネクタ、ＲＧＢビデオコネクタ、Ｓビデオコネクタ、およびデジタルビデオコネクタから出力される。第１のモニタ４０１は、その入力ビデオ信号仕様に応じて、受信装置３００のコネクタ部３０６のコンポジットビデオコネクタ、ＲＧＢビデオコネクタ、Ｓビデオコネクタ、およびデジタルビデオコネクタのうち少なくとも１つとビデオケーブル６０１を介して接続されている。従って、電子内視鏡１００のＣＣＤユニット１１０によって撮像された映像は第１のモニタ４０１に表示される。
【００１６】
キャラクタ情報について以下に説明する。図２は、第２のモニタ４０２に表示される画面の一例である。画面７００には、内視鏡画像表示領域７０１と、キャラクタ情報表示領域７０２とが設定されている。電子内視鏡１００のＣＣＤユニット１１０によって撮影された映像Ｉは内視鏡画像表示領域７０１に表示される。内視鏡画像表示領域７０１の水平及び垂直の画素数は、映像Ｉの水平及び垂直の画素数と等しい。また、システムコントロール２０１は、内視鏡画像表示領域７０１の左上角Ｉ１と右下隅Ｉ２の座標（対角座標）を検出し、記憶する。
【００１７】
本実施形態の電子内視鏡システム１による、画像処理手順を以下に説明する。図３は、ＣＣＤユニット１１０、システムコントロール２０１、ＣＣＤプロセス回路２１０、タイミング回路２０４、およびビデオプロセス回路２２０の詳細ブロック図である。ＣＣＤユニット１１０は、ＣＣＤ１１１とアンプ１１２とを有する。ＣＣＤプロセス回路２１０は、サンプルホールド回路２１１とＡ／Ｄコンバータ２１２と、を有する。ビデオプロセス回路２２０は、赤色用（Ｒ）メモリプレーン２２１Ｒ、緑色用（Ｇ）メモリプレーン２２１Ｇ、青色用（Ｂ）メモリプレーン２２１Ｂと、Ｄ／Ａコンバータ（Ｒ）２２２Ｒと、Ｄ／Ａコンバータ（Ｇ）２２２Ｇと、Ｄ／Ａコンバータ（Ｂ）２２２Ｂと、マトリクス回路２２３と、ＲＧＢエンコーダ２２４と、マルチプレクサ２２５と、同期ワード発生回路２２６と、デジタル出力回路２２７とを有する。
【００１８】
ＣＣＤ１１１から出力された画像信号はアンプ１１２によって増幅された後、サンプルホールド回路２１１に送られる。サンプルホールド回路２１１は、例えば相関２重サンプリング方式によって変換される。変換された信号はＡ／Ｄコンバータ２１２によって離散化される。離散化されたデジタル画像信号はタイミング回路２０４に送られる。
【００１９】
タイミング回路２０４は、システムコントロール２０１から送られる制御信号を用いて、現在タイミング回路２０４に送られているデジタル画像信号が撮像された時の照明光の種類を判別する。撮像された時に赤色の照明光が照射された場合、離散化された信号はデジタル画像データとしてＲメモリプレーン２２１Ｒに保存される。撮像された時に緑色の照明光が照射された場合、離散化された信号はデジタル画像データとしてＧメモリプレーン２２１Ｇに保存される。撮像された時に青色の照明光が照射された場合、離散化された信号はデジタル画像データとしてＢメモリプレーン２２１Ｂに保存される。なお、各プレーンに保存されたデジタルデータはそれぞれ１画素につき８ビットの輝度情報を有する。また、タイミング回路２０４は、各プレーンにキャラクタ情報を追記する。
【００２０】
Ｒメモリプレーン２２１Ｒ、Ｇメモリプレーン２２１Ｇ、Ｂメモリプレーン２２１Ｂに保存されたデジタル画像データは、それぞれＤ／Ａコンバータ（Ｒ）２２２Ｒ、Ｄ／Ａコンバータ（Ｇ）２２２Ｇ、Ｄ／Ａコンバータ（Ｂ）２２２Ｂに読み出される。Ｄ／Ａコンバータ（Ｒ）２２２Ｒ、Ｄ／Ａコンバータ（Ｇ）２２２Ｇ、Ｄ／Ａコンバータ（Ｂ）２２２Ｂは、読み出したデジタル画像データをＲＧＢビデオ信号に変換する。ＲＧＢビデオ信号は電子内視鏡用プロセッサ２００のコネクタ部２０７のＲＧＢビデオコネクタより出力される。また、ＲＧＢビデオ信号はＲＧＢエンコーダ２２４に送られる。
【００２１】
ＲＧＢエンコーダ２２４は、ＲＧＢビデオ信号をコンポジットビデオ信号及びＳビデオ信号に変換する。コンポジットビデオ信号は電子内視鏡用プロセッサ２００のコネクタ部２０７のコンポジットビデオコネクタより出力される。また、Ｓビデオ信号は電子内視鏡用プロセッサ２００のコネクタ部２０７のＳビデオコネクタより出力される。
【００２２】
Ｒメモリプレーン２２１Ｒ、Ｇメモリプレーン２２１Ｇ、Ｂメモリプレーン２２１Ｂに保存されたデジタル画像データは、マトリクス回路２２３に読み込まれる。マトリクス回路２２３は、ＲＧＢ形式のデジタルデータをＹＣｒＣｂ形式に変換する。ＹＣｒＣｂ形式に変換されたデータは４：２：２の比率でサンプリングされたものである。ＹＣｒＣｂ形式に変換されたデータは、マルチプレクサ２２５に送られる。
【００２３】
マルチプレクサ２２５は、ＹＣｒＣｂ形式に変換されたデータを多重化してデジタルビデオ信号を生成する。また、マルチプレクサ２２５は、同期ワード発生回路２２６が生成した同期ワード（後述）を、デジタルビデオ信号に追加する。さらに、マルチプレクサ２２５は、表示エリア情報（後述）をデジタルビデオ信号に追加する。表示エリア情報は、内視鏡画像表示領域７０１（図２）の左上角Ｉ１と右下隅Ｉ２の座標から算出される。デジタルビデオ信号は電子内視鏡用プロセッサ２００のデジタル出力回路２２７を介してコネクタ部２０７のデジタルビデオコネクタより出力される。また、デジタルビデオ信号は、受信装置３００に送られる。
【００２４】
図４は、本実施形態の電子内視鏡用プロセッサ２００より出力されるデジタルビデオ信号のフォーマットを示したものである。図４に示されるように、デジタルビデオ信号の１画面期間は、前段垂直ブランキング期間、有効ライン１、有効ライン２、．．．、有効ラインｎ、後段垂直ブランキング期間から成る。前段垂直ブランキング期間は、前段ブランキングライン１、前段ブランキングライン２、．．．、前段ブランキングラインｎ’から成る。後段垂直ブランキング期間は、後段ブランキングライン１、後段ブランキングライン２、．．．、後段ブランキングラインｎ’’から成る。デジタルビデオ信号を表示可能なモニタは、前段ブランキングライン１を検知すると、前段ブランキングライン１からｎ’ワード先のワードが有効ライン１であると判断する。次いで、モニタは画面上端から有効ライン１〜ｎの内容を１行ずつ表示する。また、デジタルビデオ信号を表示可能なモニタは、後段ブランキングライン１を検知すると、１画面の描画が終了したと判断する。
【００２５】
また、有効ライン１〜ｎのそれぞれは、前段水平ブランキング期間、有効画像データ、後段水平ブランキング期間から成る。前段水平ブランキング期間の、有効画像データの直前に位置する部分には、前段水平同期ワードが設けられている。同様に、後段水平ブランキング期間の、有効画像データの直後に位置する部分には、後段水平同期ワードが設けられている。前段水平同期ワードと後段水平同期ワードは、各ラインの有効画像データの先頭と末端を報知するものである。
【００２６】
また、前段水平ブランキング期間には、表示エリア情報が含まれる。表示エリア情報は、そのラインにおける画像表示領域の先頭の水平方向座標ｓｘと末尾の水平方向座標ｅｘを示すデータである。例えば、内視鏡画像表示領域７０１（図２）の左上角Ｉ１の座標を（ｘ１，  ｙ１）と右下隅Ｉ２の座標を（ｘ２，  ｙ２）とすると、有効ラインｋのｓｘ、ｅｘは、数１によって算出される。
【００２７】
【数１】
2004305372.tif 000003
【００２８】
なお、前段ブランキングラインおよび後段ブランキングラインにも表示エリア情報が含まれている。前段ブランキングラインおよび後段ブランキングラインにおける表示エリア情報はｓｘ＝ｅｘ＝０である。
【００２９】
図５は、受信装置３００の詳細ブロック図である。受信装置３００は、ビデオデコーダ回路３０１と、ラインメモリ３０２と、同期ワード再生回路３０３と、デジタルエンコーダ３０４と、同期ワード検出回路３０５と、コネクタ部３０６と、切換スイッチ３０７と、を有する。
【００３０】
切換スイッチ３０７は、キャラクタ情報を第１のモニタ４０１に表示させるかどうかを切り換えるスイッチである。切換スイッチ３０７の設定内容は、マスク制御回路３０３に送られる。
【００３１】
ビデオプロセス２２０のデジタル出力回路２２７より出力されたデジタルビデオ信号は、デジタルビデオケーブル６００を介してビデオデコーダ回路３０１に送られる。タイミング回路３０５は、各有効ラインから表示エリア情報を抽出し、ビデオデコーダ回路３０１に送る。
【００３２】
ビデオデコーダ回路３０１は、１ライン分のデジタルビデオ信号をラインメモリ３０２に記憶させるする。また、ビデオデコーダ回路３０１は、表示エリア情報からマスクデータを生成し、マスク制御回路３０３に送る。
【００３３】
ラインメモリ３０２に記憶されたデータはマスク制御回路３０３によって読み出される。マスク制御回路３０３は、ラインメモリ３０２の内容、マスクデータ、及び切換スイッチ３０７の設定内容を用いてデジタルビデオ信号を生成する。内視鏡画像表示領域７０１のみ表示するよう、切換スイッチ３０７が設定されている場合は、マスクデータがラインメモリ３０２の内容に加算され、画像表示領域の先頭の水平方向座標ｓｘから末尾の水平方向座標ｅｘまでの領域以外がマスクされたデジタルビデオ信号が生成される。一方、画像表示領域５０１とキャラクタ情報の双方を表示するよう、切換スイッチ３０７が設定されている場合は、ラインメモリ３０２の内容がそのままデジタルビデオ信号として使用される。
【００３４】
マスク制御回路３０３によって生成されたデジタルビデオ信号は、同期ワード再生回路から受信装置３００のコネクタ部３０６に形成されたデジタルビデオコネクタに送られる。
【００３５】
また、マスク制御回路３０３によって生成されたデジタルビデオ信号は、デジタルエンコーダ３０４に送られる。デジタルエンコーダ３０４は、マスク制御回路３０３によって生成されたデジタルビデオ信号をＲＧＢビデオ信号、コンポジットビデオ信号及びＳビデオ信号に変換する。ＲＧＢビデオ信号は受信装置のコネクタ部３０６のＲＧＢビデオコネクタより出力される。コンポジットビデオ信号は受信装置のコネクタ部３０６のコンポジットビデオコネクタより出力される。また、Ｓビデオ信号は受信装置のコネクタ部３０６のＳビデオコネクタより出力される。
【００３６】
なお、本実施形態においては、水平ブランキング期間に表示エリア情報が書き込まれる構成となっているが、本発明は上記構成に限定されるものではない。すなわち、垂直ブランキング期間に表示エリア情報が書き込まている構成としてもよい。例えば、前段ブランキングライン（図４）のいずれかに、画像表示領域５０１（図２）の左上角Ｉ１と右下隅Ｉ２の座標が書き込まれており、タイミング回路３０５が、画像表示領域５０１（図２）の左上角Ｉ１と右下隅Ｉ２の座標から各有効ラインごとのマスクデータを生成する構成としてもよい。
また、キャラクタ情報のうち、医者や患者の氏名、患者ＩＤ番号等プライバシーに関わる部分のみをマスクするマスクデータを生成する構成としてもよい。
【００３７】
【発明の効果】
以上のように、本発明によれば、以上のように、遠隔地側のモニタ上にキャラクタ情報を表示させるかどうかを遠隔地側から制御可能となる。
【図面の簡単な説明】
【図１】本発明の実施の形態の内視鏡システムを模式的に示したものである。
【図２】本発明の実施の形態の第２のモニタに表示される画面の一例である。
【図３】本発明の実施の形態のＣＣＤユニット、システムコントロール、ＣＣＤプロセス回路、タイミング回路、およびビデオプロセス回路の詳細ブロック図である。
【図４】本発明の実施の形態のデジタルビデオ信号のフォーマットを示したものである。
【図５】本発明の実施の形態の受信装置３００の詳細ブロック図である。
【符号の説明】
１        内視鏡システム
１００      電子内視鏡
１０１      対物光学系
１０２      ライトガイド
１０６      ＥＥＰＲＯＭ
１１０      ＣＣＤユニット
１１１      ＣＣＤ
１１２      アンプ
１２０      ＣＣＤドライブ回路
２００      電子内視鏡用プロセッサ
２０１      システムコントロール
２０４      タイミング回路
２０５      ペリフェラルドライバ
２０７      コネクタ部
２１０      ＣＣＤプロセス回路
２２０      ビデオプロセス回路
２２１Ｒ    Ｒメモリプレーン
２２１Ｇ    Ｇメモリプレーン
２２１Ｂ    Ｂメモリプレーン
２２２Ｒ    Ｄ／Ａコンバータ（Ｒ）
２２２Ｇ    Ｄ／Ａコンバータ（Ｇ）
２２２Ｂ    Ｄ／Ａコンバータ（Ｂ）
２２３      マトリクス回路
２２４      ＲＧＢエンコーダ
２２５      マルチプレクサ
２２６      同期ワード発生回路
２２７      デジタル出力回路
２３０      光源ユニット
３００      受信装置
３０１      ビデオデコーダ回路
３０２      ラインメモリ
３０３      同期ワード再生回路
３０４      デジタルエンコーダ
３０５      タイミング回路
３０６      コネクタ部
３０７      切換スイッチ
４０１      第１のモニタ
４０２      第２のモニタ
５００      デジタルビデオケーブル
６０１、６０２      ビデオケーブル
７００      画面
７０１      内視鏡画像表示領域
７０２      キャラクタ情報表示領域
【図１】
2004305372.tif 000004
【図２】
2004305372.tif 000005
【図３】
2004305372.tif 000006
【図４】
2004305372.tif 000007
【図５】
2004305372.tif 000008